(57)【特許請求の範囲】
【請求項１】
クライアント装置と、出力装置と、を含む出力システムにおいて、
画像データに関連付けられているとともに、当該画像データに設定されている設定情報を含むジョブを記憶する記憶部と、
前記ジョブに対する出力指示を受け付けると、当該ジョブに含まれる設定情報に基づいて当該ジョブに関連付けられており且つ前記記憶部に記憶されている画像データを出力する出力部と、
前記記憶部に記憶されている前記ジョブを削除する削除部と、を備え、
前記削除部は、前記設定情報の設定操作の難易度を示す設定難易度が高いジョブを、前記設定難易度が低いジョブよりも後に削除する出力システム。
【請求項２】
請求項１に記載の出力システムであり、
前記設定難易度を設定する設定部を備え、
前記設定部は、前記ジョブに含まれる設定情報から前記設定難易度を設定する出力システム。
【請求項３】
請求項２に記載の出力システムであり、
前記ジョブに含まれる前記設定情報には、当該ジョブに関連付けられている前記画像データを前記出力部で出力する場合の複数の出力条件が含まれており、
前記設定部は、予め定められた規定出力条件と異なる前記出力条件を多く含むジョブを、前記規定出力条件と異なる前記出力条件を少なく含むジョブよりも前記設定難易度を高く設定する出力システム。
【請求項４】
請求項２または請求項３に記載の出力システムであり、
前記ジョブに含まれる前記設定情報には、当該ジョブに関連付けられている前記画像データを前記出力部で出力する場合の複数の出力条件が含まれており、
各出力条件には、設定操作の難易度を示す難易レベルが設定されており、
前記設定部は、予め定められた規定出力条件と異なる前記出力条件に設定された前記難易レベルが高いジョブを、前記難易レベルが低いジョブよりも前記設定難易度を高く設定する出力システム。
【請求項５】
請求項４に記載の出力システムであり、
前記規定部は、前記規定出力条件と異なる複数の前記出力条件に設定された前記難易レベルを加算した合計難易レベルが高いジョブを、前記合計難易レベルが低いジョブよりも前記設定難易度を高く設定する出力システム。
【請求項６】
請求項２ないし請求項５のいずれか一項に記載の出力システムであり、
前記ジョブに含まれる前記設定情報には、当該ジョブの種類を示す種類情報が含まれており、
前記設定部は、前記ジョブに含まれる前記種類情報がＦＡＸ受信である場合に、他の種類情報を含むジョブよりも前記設定難易度を高く設定する出力システム。
【請求項７】
請求項２ないし請求項６のいずれか一項に記載の出力システムであって、
前記設定部は、前記記憶部に新たなジョブが記憶された場合に前記設定を行う出力システム。
【請求項８】
請求項２ないし請求項７のいずれか一項に記載の出力システムであって、
前記設定難易度は、前記削除部によって削除される順位が設定された優先順位であり、
前記設定部は、前記設定難易度の高いジョブの優先順位を、前記設定難易度の低いジョブの優先順位よりも低く設定する出力システム。
【請求項９】
請求項２ないし請求項７のいずれか一項に記載の出力システムであって、
前記設定難易度は、前記削除部によって削除される期限が設定された削除期限であり、
前記設定部は、前記設定難易度の高いジョブの削除期限を、前記設定難易度の低いジョブの削除期限よりも遅く設定する出力システム。
【請求項１０】
請求項１ないし請求項９のいずれか一項に記載の出力システムであって、
前記削除部によって削除される前記ジョブに設定されていた前記設定情報を通知する通知部を備える出力システム。
【請求項１１】
画像データに関連付けられているとともに、当該画像データに設定されている設定情報を含むジョブを記憶する記憶部と、
前記ジョブに対する出力指示を受け付けると、当該ジョブに含まれる設定情報に基づいて当該ジョブに関連付けられており且つ前記記憶部に記憶されている画像データを出力する出力部と、
前記記憶部に記憶されている前記ジョブを削除する削除部と、を備え、
前記削除部は、前記設定情報の設定操作の難易度を示す設定難易度が高いジョブを、前記設定難易度が低いジョブよりも後に削除する出力装置。
【請求項１２】
画像データに関連付けられているとともに、当該画像データに設定されている設定情報を含むジョブを記憶する記憶部と、前記ジョブに対する出力指示を受け付けると、当該ジョブに含まれる設定情報に基づいて当該ジョブに関連付けられており且つ前記記憶部に記憶されている画像データを出力する出力部と、を備える出力装置に接続可能なクライアント装置に、
前記ジョブを前記記憶部に記憶される記憶処理と、
前記記憶部に記憶されている前記ジョブを削除させる削除処理と、を実行させ、
前記削除処理では、前記設定情報の設定操作の難易度を示す設定難易度が高いジョブを、前記設定難易度が低いジョブよりも後に削除させるプログラム。
【発明の詳細な説明】
【技術分野】
【０００１】
本発明は、簡易な操作でジョブを生成する技術に関する。
【背景技術】
【０００２】
プリンタなどの出力装置では、出力装置内にジョブを一旦記憶しておき、外部から出力指示が入力された場合に、その出力指示に対応したジョブに基づいてデータを出力する技術が知られている。例えば特許文献１、２には、出力装置内は、ジョブを記憶しておくメモリを有しており、新規ジョブを記憶するメモリの容量を確保するために、メモリに記憶されているジョブのいずれかを削除する技術が開示されている。
【先行技術文献】
【特許文献】
【０００３】
【特許文献１】特開２００３−２５６９２号公報
【特許文献２】特開２００７−５８４２９号公報
【発明の概要】
【発明が解決しようとする課題】
【０００４】
出力装置にジョブを記憶させる際、ユーザは、カラー印刷や両面印刷などの出力条件を設定する等のジョブを生成する操作が必要となる。出力装置のメモリから削除されたジョブのデータを出力したい場合、ユーザは出力装置に再度ジョブを記憶させるため、上記の操作を再度行う必要がある。削除されたジョブを生成する操作が複雑である場合、ユーザは複雑な操作を繰り返さなければならず、ユーザの操作負担が増大してしまう問題が生じていた。
【０００５】
本明細書では、出力装置に記憶するジョブを再び生成する場合に、簡易な操作でジョブを生成することができる技術を提供することを目的とする。
【課題を解決するための手段】
【０００６】
本明細書によって開示される出力システムは、クライアント装置と、出力装置と、を含む出力システムにおいて、画像データに関連付けられているとともに、当該画像データに設定されている設定情報を含むジョブを記憶する記憶部と、前記ジョブに対する出力指示を受け付けると、当該ジョブに含まれる設定情報に基づいて当該ジョブに関連付けられており且つ前記記憶部に記憶されている画像データを出力する出力部と、前記記憶部に記憶されている前記ジョブを削除する削除部と、を備え、前記削除部は、前記設定情報の設定操作の難易度を示す設定難易度が高いジョブを、前記設定難易度が低いジョブよりも後に削除する。
【０００７】
また、上記の出力システムでは、前記設定難易度を設定する設定部を備え、前記設定部は、前記ジョブに含まれる設定情報から前記設定難易度を設定する構成でもよい。
【０００８】
また、上記の出力システムでは、前記ジョブに含まれる前記設定情報には、当該ジョブに関連付けられている前記画像データを前記出力部で出力する場合の複数の出力条件が含まれており、前記設定部は、予め定められた規定出力条件と異なる前記出力条件を多く含むジョブを、前記規定出力条件と異なる前記出力条件を少なく含むジョブよりも前記設定難易度を高く設定する構成でもよい。
【０００９】
また、上記の出力システムでは、前記ジョブに含まれる前記設定情報には、当該ジョブに関連付けられている前記画像データを前記出力部で出力する場合の複数の出力条件が含まれており、各出力条件には、設定操作の難易度を示す難易レベルが設定されており、前記設定部は、予め定められた規定出力条件と異なる前記出力条件に設定された前記難易レベルが高いジョブを、前記難易レベルが低いジョブよりも前記設定難易度を高く設定する構成でもよい。
【００１０】
また、上記の出力システムでは、前記規定部は、前記規定出力条件と異なる複数の前記出力条件に設定された前記難易レベルを加算した合計難易レベルが高いジョブを、前記合計難易レベルが低いジョブよりも前記設定難易度を高く設定する構成でもよい。
【００１１】
また、上記の出力システムでは、前記ジョブに含まれる前記設定情報には、当該ジョブの種類を示す種類情報が含まれており、前記設定部は、前記ジョブに含まれる前記種類情報がＦＡＸ受信である場合に、他の種類情報を含むジョブよりも前記設定難易度を高く設定する構成でもよい。
【００１２】
また、上記の出力システムでは、前記設定部は、前記記憶部に新たなジョブが記憶された場合に前記設定を行う構成でもよい。
【００１３】
また、上記の出力システムでは、前記設定難易度は、前記削除部によって削除される順位が設定された優先順位であり、前記設定部は、前記設定難易度の高いジョブの優先順位を、前記設定難易度の低いジョブの優先順位よりも低く設定する構成でもよい。
【００１４】
また、上記の出力システムでは、前記設定難易度は、前記削除部によって削除される期限が設定された削除期限であり、前記設定部は、前記設定難易度の高いジョブの削除期限を、前記設定難易度の低いジョブの削除期限よりも遅く設定する構成でもよい。
【００１５】
また、上記の出力システムでは、前記削除部によって削除される前記ジョブに設定されていた前記設定情報を通知する通知部を備える構成でもよい。
【００１６】
なお、この発明は、上記の出力システムを構成する出力装置やクライアント装置、これらの装置の機能を実現するためのコンピュータプログラム、そのプログラムを記録した記録媒体等の種々の態様で実現することができる。
【発明の効果】
【００１７】
本発明によれば、出力装置の記憶部に記憶されているジョブを削除する際に、設定難易度が高いジョブを設定難易度が低いジョブよりも後に削除する。これによって、設定難易度が高く、設定操作の難しい設定情報を含むジョブを再び生成する事態の発生が抑制され、簡易な操作でジョブを生成することができる。
【図面の簡単な説明】
【００１８】
【図１】本実施形態に係るシステム１０のブロック図
【図２】ジョブＪの構成を模式的に示す図
【図３】設定画面Ｇ１を模式的に示す図
【図４】設定画面Ｇ２を模式的に示す図
【図５】操作難易度Ｍと難易レベルＬｄの関係を示す表
【図６】実施形態１の印刷処理におけるＰＣ１２の処理を示すフローチャート
【図７】実施形態１の印刷処理における複合機１４の処理を示すフローチャート
【図８】操作難易度Ｍと優先順位Ｙの関係を示す表
【図９】復元困難度Ｈと優先順位Ｙの関係を示す表
【図１０】操作難易度Ｍと蓄積期限Ｔの関係を示す表
【図１１】実施形態３の印刷処理における複合機１４の処理を示すフローチャート
【図１２】操作難易度Ｍと保存期間蓄積期限Ｔの関係を示す表
【図１３】実施形態３の印刷処理における複合機１４の処理を示すフローチャート
【発明を実施するための形態】
【００１９】
＜実施形態１＞
実施形態１を、図１ないし図８を用いて説明する。
【００２０】
１．システムの構成
図１は、本実施形態のシステム１０の構成例を示すブロック図である。本システム１０は、複数のパーソナルコンピュータ（クライアント端末の一例、以下「ＰＣ」という）１２と、複合機（出力装置の一例）１４とを含む。複合機１４は、少なくともファクシミリ機能、スキャナ機能及びプリンタ機能等を備えている。
【００２１】
ＰＣ１２は、中央処理装置（以下「ＣＰＵ」という）２０、ＲＯＭ、ＲＡＭ、ハードディスク等のメモリ２２、ネットワークインターフェイス２４、操作部２６、表示部２７を含む。
メモリ２２には、単数または複数のプログラムＰ１が記憶されており、ＣＰＵ２０はメモリ２２から読み出したプログラムＰ１に従って、設定部２８等として機能し、ＰＣ１０を制御するとともに、複合機１４等との通信を制御する。例えばＣＰＵ２０は、プログラムＰ１に従って、ユーザからの操作指示に応じて複合機１４に対するＦＡＸ送信、読み取り、印刷等のジョブＪを生成する処理をする他、ネットワークインターフェイス２４を介して生成したジョブＪを複合機１４に送信する処理等を実行する。また、メモリ２２には、後述する規定出力条件Ｐ０、及び難易レベルＬｄが記憶されている。
【００２２】
ネットワークインターフェイス２４は、例えばＬＡＮ（Ｌｏｃａｌ  Ａｒｅａ  Ｎｅｔｗｏｒｋ）によるイントラネット内の通信回線８０に接続されている。この通信回線８０には、複合機１４が接続されており、ＰＣ１２は、ネットワークインターフェイス２４を介して複合機１４とデータ通信及び処理要求を行うことができる。尚、上記ＬＡＮは、インターネット等のＷＡＮ（Ｗｉｄｅ  Ａｒｅａ  Ｎｅｔｗｏｒｋ）内の通信回線や専用配線を用いて直接接続されていても良ければ、無線通信を用いて接続されていてもよい。
【００２３】
さらに、ＰＣ１２には、キーボードやマウスからなり、ユーザからの操作指示を受け付ける操作部２６、液晶ディスプレイモニタからなる表示部２７が設けられている。
【００２４】
次に、複合機１４について説明する。複合機１４は、ＣＰＵ３０、メモリ３２、ネットワークインターフェイス３４、３５、操作部３６、表示部３７、出力部３８、読取部４８を含む。
メモリ３２には、単数または複数のプログラムＰ２が記憶されており、ＣＰＵ３０はメモリ３２から読み出したプログラムＰ２に従って、削除部４０、設定部４２、通知部４４等として機能し、複合機１４を制御するとともに、ＰＣ１２との通信を制御する。例えばＣＰＵ３０は、プログラムＰ２に従って、受信したジョブＪをメモリ３２に記憶する処理をする他、ユーザからの出力指示に基づいてジョブＪを出力する処理、及びメモリ３２に記憶されたジョブＪをメモリ３２から削除する処理等を実行する。メモリ２２には、プログラムＰ２、ジョブＪの他、後述する操作難易度Ｍ、及び優先順位Ｙが記憶されている。
【００２５】
ネットワークインターフェイス３４は、例えば、ＬＡＮ  Ｉ／Ｆ及びＦＡＸモデム等の複合機１４が他の装置とデータの送受信をするために必要な構成の総称である。ネットワークインターフェイス３４は、ＰＣ１２が接続されているＬＡＮと同一の通信回線８０に接続されており、ＰＣ１０とデータ通信及び処理要求を行うことができる。また、ネットワークインターフェイス３５は、電話回線８２に接続されている。この電話回線８２には、他の複合機が接続されており、複合機１４は、ネットワークインターフェイス３５を介して他の複合機とＦＡＸ送受信を行うことができる。
【００２６】
出力部３８は、ユーザからの出力指示に従って複合機１４に含まれる各機能を実現するための各部を含む。出力部３８には、画像データをＬＡＮを介してＰＣ１２に送信したり、ＦＡＸ送信する送信部４６、画像データを印刷する印刷部５０等を含む。尚、本実施形態の送信部４６、読取部４８、印刷部５０の構造は、一般のファクシミリ、スキャナ、プリンタに使用されている各部の構造と同等であり、詳しい説明を省略する。
【００２７】
さらに、複合機１４には、各種のボタンからなり、ユーザからの操作指令を受け付ける操作部３６、複合機１４の状態を表示する液晶ディスプレイからなる表示部３７が設けられている。
【００２８】
２．ジョブの構成
メモリ３２に記憶されるジョブＪは、例えば、セキュアプリントジョブ、リプリントジョブ、送信に失敗したＦＡＸ送信ジョブ、送信に失敗したスキャンジョブ、受信したＦＡＸを印刷するジョブなどが考えられる。ここで、セキュアプリントジョブとは、ジョブを受信した後一旦メモリ３２に記憶され、記憶されたジョブに設定されたパスワードを操作部３６から入力されると印刷を行うジョブである。リプリントジョブとは、既に印刷した画像データの再印刷用のジョブである。
これらのジョブＪは、図２に示すように、画像データＤが関連付けられている。画像データＤは、そのメモリアドレスをジョブＪに指定される等して関連付けられていれば、必ずしもジョブＪに含まれる必要はない。また、ジョブＪには、この画像データＤに対して設定情報Ｘが設定されている。設定情報Ｘは、出力条件Ｐと種類情報Ｑを含む。ここで種類情報Ｑとは、ジョブＪの種類を示す情報であり、例えば、ＦＡＸ送信、ＦＡＸ受信、スキャン、印刷等の各情報である。また、出力条件Ｐとは、ジョブＪに関連付けられている画像データＤを出力部３８で出力する場合の条件であり、例えば、種類情報Ｑが「印刷」である場合、出力条件Ｐは、カラー印刷、両面印刷等の各条件である。
【００２９】
種類情報Ｑが印刷である場合、ジョブＪに関連付けられた画像データＤは印刷部５０で印刷される画像データＤを意味する。また、種類情報ＱがＦＡＸ送信である場合、送信部４６でＦＡＸ送信される画像データＤを意味する。画像データＤは、ジョブＪに含まれて、あるいはジョブＪとは別に複合機１４に入力され、メモリ３２に記憶される。また、画像データＤは、ネットワークインターフェイス３４を介して複合機１４に入力されてもよければ、ＵＳＢ等の外部記憶装置を用いて複合機１４に入力されてもよい。設定情報Ｘは、ＰＣ１２等により設定されるとともに、ネットワークインターフェイス３４を介して複合機１４に入力され、メモリ３２に記憶される。設定情報Ｘは、画像データＤを指定して設定されることで、画像データＤに対して設定される。
【００３０】
種類情報Ｑがスキャンである場合、ジョブＪに関連付けられた画像データＤは読取部４８で読み取られた画像データＤを意味している。画像データＤは、読取部４８で読み取られ、メモリ３２に記憶される。設定情報Ｘは、ＰＣ１２等により設定されるとともに、ネットワークインターフェイス３４を介して複合機１４に入力され、メモリ３２に記憶される。画像データＤは予め設定された設定情報Ｘに基づいて読み取られ、これによって、設定情報Ｘが画像データＤに対して設定される。
【００３１】
種類情報ＱがＦＡＸ受信である場合、ジョブＪに関連付けられた画像データＤはＦＡＸ受信された画像データＤを意味する。画像データＤは、ＦＡＸ受信され、メモリ３２に記憶される。設定情報Ｘは、画像データＤとともにＦＡＸ受信される。複合機１４は、連続して受信した画像データＤと設定情報Ｘを対応つけてメモリ３２に記憶する。
【００３２】
３．印刷処理
図３ないし図８を用いて、出力処理の一例である印刷処理における各装置の処理を説明する。本実施形態では、複合機１４のメモリ３２に印刷処理のジョブＪのみが記憶されている場合の例を用いて説明を行う。
【００３３】
（ＰＣにおける処理）
まず、ＰＣ１２におけるＣＰＵ２０の処理について説明する。この処理はメモリ２２に記憶されているプログラムＰ１に従って実行される。
印刷処理を実行する際に、ユーザは操作部２６を操作して印刷指示を入力する。ＣＰＵ２０は、ユーザから印刷指示が入力されると、まず、図３に示す設定画面Ｇ１を表示する。設定画面Ｇ１は、基礎的な出力条件Ｐを設定する設定画面である。ＰＣ１０のメモリ２２には予め定められた規定出力条件Ｐ０（デフォルトの出力条件）が記憶されており、ＣＰＵ１２は設定画面Ｇ１を表示する際に、規定出力条件Ｐ０に従って設定された設定画面Ｇ１を表示する。これは後述する設定画面Ｇ２を表示する際も同様である。
【００３４】
ユーザは、設定しようとする出力条件Ｐが規定出力条件Ｐ０と異なる場合、規定出力条件Ｐ０を変更する。また、ユーザは、設定画面Ｇ１に含まれない出力条件Ｐを設定する際に、操作部を操作して設定画面Ｇ１のプロパティボタンタブ５２を選択し、図４に示す設定画面Ｇ２を表示する。ユーザは、設定画面Ｇ２を用いて、設定画面Ｇ１では設定できない詳細な出力条件Ｐを設定することができる。
【００３５】
図３、図４に示すように、設定画面Ｇ１、Ｇ２には設定可能な出力条件Ｐが実線で示され、設定不能な出力条件Ｐが点線で示されている。また、設定画面Ｇ１、Ｇ２には、変更方式の異なる出力条件Ｐが含まれる。設定画面Ｇ１、Ｇ２には、例えば以下の変更方式の出力条件Ｐが含まれる。
（１）チェックボックス方式（例えば、図４のＯｒｉｅｎｔａｔｉｏｎ）
（２）プルダウンメニュー方式（例えば、図４のＰａｇｅ  Ｓｉｚｅ）
（３）数値入力方式（例えば、図４のＣｏｐｉｅｓ）
【００３６】
一般に、チェックボックス方式では、設定画面に既に選択可能な内容が全て表示されており、ユーザは設定画面に表示された内容から設定したい内容を選択すればよい点で、プルダウンメニュー方式及び数値入力方式に比べてユーザの設定操作の難易度は低い。プルダウンメニュー方式では、設定画面に選択可能な内容の全てが表示されていない点でチェックボックス方式よりもユーザの設定操作の難易度が高いものの、選択可能な内容が表示可能に構成されている点で数値入力方式よりもユーザの設定操作の難易度は低い。一方、数値入力方式では、設定画面に選択可能な内容が表示されず、ユーザは設定したい内容を自ら入力する必要がある点で、チェックボックス方式及びプルダウンメニュー方式に比べてユーザの設定操作の難易度が高い。
【００３７】
また、一般に、設定画面Ｇ２に含まれる出力条件Ｐは、プロパティボタンタブ５２を選択しなければ設定することができないという点で、設定画面Ｇ１に含まれる出力条件Ｐに比べてユーザの設定操作の難易度は高い。ＰＣ１０のメモリ２２には、上記のように一般にユーザが感じる設定操作の難易度に基づき、難易レベルＬｄが予め設定されて記憶されている。難易レベルＬｄは、種類情報Ｑ、設定画面及び変更方式毎に設定されている。
【００３８】
図６に示すように、ユーザによる設定画面Ｇ１、Ｇ２を用いた出力条件Ｐの設定が終了し、設定画面Ｇ１のＯＫボタンタブ５４が選択されると、ＣＰＵ２０は処理を開始し、ユーザが設定した出力条件Ｐ、および種類情報Ｑから設定情報Ｘを生成する。ＣＰＵ２０は、生成した設定情報Ｘとユーザが指定した画像データＤからジョブＪを生成する（Ｓ２）。
【００３９】
次にＣＰＵ２０は、設定部２８として機能し、操作難易度（設定難易度の一例）Ｍを設定する（Ｓ４）。ＣＰＵ２０は、ユーザが設定した出力条件Ｐと規定出力条件Ｐ０を比較し、規定出力条件Ｐ０と異なる出力条件Ｐ（すなわち、ユーザにより変更された出力条件Ｐ）の数である変更数Ｎを取得する。この際、ＣＰＵ２０は、設定画面Ｇ１、Ｇ２及び変更方式毎に変更数Ｎを取得する。尚、該当する変更方式が無い場合、あるいは該当する変更方式が有る場合であっても、ユーザにより規定出力条件Ｐ０が変更されていない場合、変更数Ｎは「０」となる。
【００４０】
図５に示すように、ＣＰＵ２０は、設定画面Ｇ１、Ｇ２及び変更方式毎に難易レベルＬｄに変更数Ｎを乗じ、これを合計したものを操作難易度Ｍとして設定する。操作難易度Ｍは、ジョブＪに含まれる設定情報Ｘの変更数Ｎを用いて設定され、ジョブＪに含まれる設定情報Ｘから設定される。また、操作難易度Ｍは、一般にユーザが感じる設定操作の難易度である難易レベルＬｄをユーザが実際に行った設定操作の回数に亘って加算したものであり、設定情報Ｘの設定におけるユーザの設定操作の難易度を示すということができる。
【００４１】
操作難易度Ｍは、難易レベルＬｄの大きい（高い）出力条件Ｐが変更された場合に、難易レベルＬｄの小さい（低い）出力条件Ｐが変更された場合に比べて大きく（高く）設定される。また、操作難易度Ｍは、出力条件Ｐの変更数Ｎが多いほど高く設定される。つまり、操作難易度Ｍが大きい（高い）ジョブＪほどユーザの設定操作の難易度が高く、操作難易度Ｍが小さい（低い）ジョブＪほどユーザの設定操作の難易度が低くなるように、操作難易度Ｍが設定される。操作難易度Ｍの設定後、ＣＰＵ２０は、設定した操作難易度ＭをジョブＪに付加し（Ｓ６）、当該ジョブＪをネットワークインターフェイス２４を介して複合機１４に送信する（Ｓ８）。
【００４２】
後述するように、複合機１４に送信されたジョブＪは複合機１４のメモリ３２に記憶される。つまり、本実施形態のシステム１０では、ユーザにより設定画面Ｇ１のＯＫボタンタブ５４が選択されたことに起因して、ジョブＪはＣＰＵ２０によって生成されるとともに複合機１４のメモリ３２に記憶され、操作難易度ＭはＣＰＵ２０によって算出される。そのため、複合機１４のメモリ３２に新たなジョブＪが記憶された場合に、ＣＰＵ２０は操作難易度Ｍの設定を行うということができる。
【００４３】
（複合機１４における処理）
次に、複合機１４におけるＣＰＵ３０の処理について説明する。この処理はメモリ３２に記憶されているプログラムＰ２に従って実行される。
ＣＰＵ３０は、ネットワークインターフェイス３４を介してＰＣ１２からジョブＪを受信すると処理を開始し、そのジョブＪが蓄積する必要のあるジョブＪであるかを判断する（Ｓ１２）。ジョブＪに含まれる出力条件Ｐには、複合機１４による受信後すぐに印刷を実行するか、セキュアプリントジョブ等のようにユーザからの出力指示を待って印刷を実行するか、を決定する出力条件Ｐが含まれる。ＣＰＵ３０は、ジョブＪに含まれる当該出力条件Ｐを確認し、受信後すぐに印刷を実行するように設定されている場合（Ｓ１２：ＮＯ）、ジョブＪの印刷を実行する。
【００４４】
ジョブＪの印刷を実行する際、ＣＰＵ３０は、ジョブＪに含まれる出力条件Ｐに基づいて、ジョブＪに含まれる画像データＤを印刷部５０を用いて印刷する。また、ＣＰＵ３０は、印刷が成功したか否かを確認しており（Ｓ１４）、印刷が成功した場合（Ｓ１４：ＹＥＳ）、処理を終了する。
【００４５】
一方、ＣＰＵ３０は、ジョブＪの出力条件Ｐに出力指示を待って印刷を実行するように設定されている場合（Ｓ１２：ＹＥＳ）、または印刷が失敗した場合（Ｓ１４：ＮＯ）、設定部４２として機能し、ジョブＪに付加された操作難易度Ｍから優先順位Ｙを設定する（Ｓ１６）。優先順位Ｙは、ＣＰＵ３０によりメモリ３２からジョブＪが削除される順位を示す情報である。ジョブＪは、優先順位Ｙが高い（番号が小さい）ほどメモリ３２から早く削除され、優先順位Ｙが低い（番号が大きい）ほどメモリ３２から遅く削除される。
【００４６】
図８に示すように、優先順位Ｙを設定する際、ＣＰＵ３０は、当該ジョブＪ及びメモリ３２に記憶された他のジョブＪの操作難易度Ｍを読み出して比較する。ＣＰＵ３０は、操作難易度Ｍが低いほど優先順位Ｙを高く設定し、操作難易度Ｍが高いほど優先順位Ｙを低く設定する。つまり、難易レベルＬｄの低い出力条件Ｐが変更され、または出力条件Ｐの変更数Ｎが少なく、ユーザの設定操作の難易度が低いジョブＪほど優先順位Ｙを高く設定し、メモリ３２から早く削除されるようにする。また、難易レベルＬｄの高い出力条件Ｐが変更され、または出力条件Ｐの変更数Ｎが多く、ユーザの設定操作の難易度が高いジョブＪほど優先順位Ｙを低く設定し、メモリ３２から遅く削除されるようにする。これにより、ユーザの設定操作の難易度が高いジョブＪがメモリ３２から削除されてしまい、ユーザが当該ジョブＪを再び生成する事態の発生が抑制される。ＣＰＵ３０は、優先順位Ｙの設定後、当該ジョブＪ及び設定した優先順位Ｙをメモリ３２に記憶する（Ｓ１８）。
【００４７】
次にＣＰＵ３０は、メモリ３２の空き容量と予め定められた閾値Ｋを比較する（Ｓ２０）。ＣＰＵ３０は、メモリ３２の空き容量が閾値Ｋ以下の場合（Ｓ２０：ＮＯ）、優先順位Ｙが最も高いジョブＪを読み出す（Ｓ２２）。ＣＰＵ３０は、通知部４４として機能し、読み出したジョブＪの設定情報Ｘを印刷部５０を用いて印刷（通知の一例）する（Ｓ２４）。また、ＣＰＵ３０は、削除部４０として機能し、読み出したジョブＪをメモリ３２から削除する（Ｓ２６）。ＣＰＵ３０は、メモリ３２の空き容量が閾値Ｋよりも多くなるまで、Ｓ２２ないしＳ２６の処理を繰り返す。
【００４８】
ＣＰＵ３０は、メモリ３２の空き容量が閾値Ｋよりも多い場合（Ｓ２０：ＹＥＳ）、メモリ３２に記憶されたジョブＪに対する優先順位Ｙの再設定が必要か否かを判断する（Ｓ２８）。ＣＰＵ３０は、例えばＳ１６の処理の後にＳ２６の処理が実行された場合、優先順位Ｙの再設定が必要と判断し（Ｓ２８：ＹＥＳ）、優先順位Ｙの再設定を実行する（Ｓ３０）。ＣＰＵ３０は、例えばメモリ３２に記憶された各ジョブＪの優先順位Ｙから、Ｓ２６の処理によって削除されたジョブＪの数を減じ、再設定後の優先順位Ｙとする。
【００４９】
一方、ＣＰＵ３０は、例えばＳ１６の処理の後にＳ２６の処理が実行されていない場合、優先順位Ｙの再設定が不要と判断する（Ｓ２８：ＮＯ）。ＣＰＵ３０は、優先順位Ｙの再設定の判断（Ｓ２８）後、あるいは優先順位Ｙの再設定の実行（Ｓ３０）後、処理を終了する。
【００５０】
ＣＰＵ３０はさらに、ユーザからジョブＪを指定した出力指示が入力された場合に、メモリ３２に含まれるジョブＪを用いて印刷を実行するとともに、印刷が実行されたジョブＪをメモリ３２から削除する処理を実行する。また、ＣＰＵ３０は、ユーザからジョブＪの削除指示が入力された場合に、指定されたジョブＪをメモリ３２から削除する処理を実行する。
【００５１】
ＣＰＵ３０は、上記の削除処理を実行した場合に、メモリ３２に記憶されたジョブＪの優先順位Ｙを再設定する処理をあわせて実行する。ＣＰＵ３０は、Ｓ１６と同様に、メモリ３２に記憶されたジョブＪの操作難易度Ｍを読み出して比較し、優先順位Ｙを設定する。
【００５２】
４．本実施形態の効果
（１）本実施形態のシステム１０では、複合機１４のメモリ３２に記憶されているジョブＪを削除する際に、操作難易度Ｍが高いジョブを操作難易度Ｍが低いジョブよりも後に削除する。これによって、操作難易度Ｍが高く、ユーザによる設定操作の難しい設定情報Ｘを含むジョブＪを再び生成する事態の発生が抑制され、簡易な操作でジョブを生成することができる。
【００５３】
（２）本実施形態のシステム１０では、ジョブＪに含まれる設定情報Ｘから操作難易度Ｍを設定する。ジョブＪに基づいて操作難易度Ｍが適切に設定されることで、操作難易度Ｍが高く、ユーザによる設定操作の難しい設定情報Ｘを含むジョブＪを再び生成する事態の発生が好適に抑制される。
【００５４】
（３）本実施形態のシステム１０では、一般にユーザが感じる設定操作の難易度に基づき難易レベルが設定されており、この設定レベルに基づいて操作難易度Ｍが算出される。難易レベルの高い出力条件Ｐが変更された場合、難易レベルの低い出力条件Ｐが変更された場合に比べて操作難易度Ｍが高く設定され、また出力条件Ｐの変更数Ｎが多い場合、出力条件Ｐの変更数Ｎが少ない場合に比べて操作難易度Ｍが高く設定される。これによって、一般にユーザが感じる設定操作の難易度に基づき操作難易度Ｍを設定することができ、ユーザによる設定操作の難しい設定情報Ｘを含むジョブＪを再び生成する事態の発生が抑制される。
【００５５】
（４）本実施形態のシステム１０では、新たなジョブＪがメモリ３２に記憶された場合に操作難易度Ｍを設定する。複合機１４では、新たなジョブＪがメモリ３２に記憶された場合に、メモリ３２の空き容量が閾値Ｋを超えて少なくなり、メモリ３２のジョブＪを削除する必要が生じる。このシステム１０では、上記のタイミングで操作難易度Ｍを設定するので、スムースにメモリ３２からジョブＪを削除してメモリ３２の空き容量を確保することができる。
【００５６】
（５）本実施形態のシステム１０では、操作難易度Ｍに基づいて優先順位Ｙが設定される。この際、操作難易度Ｍの低いジョブＪの優先順位Ｙが高く設定され、操作難易度Ｍの高いジョブＪの優先順位Ｙが低く設定される。これによって、操作難易度Ｍの低いジョブＪを優先的にメモリ３２から削除することができるとともに、操作難易度Ｍの高いジョブＪがメモリ３２から削除されることが抑制される。この結果、操作難易度Ｍが高く、ユーザによる設定操作の難しい設定情報Ｘを含むジョブＪを再び生成する事態の発生が抑制される。
【００５７】
（６）本実施形態のシステム１０では、メモリ３２からジョブＪが削除される際に、削除されるジョブＪに含まれる出力条件Ｐが印刷部５０から印刷される。そのため、ユーザがメモリ３２から削除されたジョブＪを印刷する際に、ユーザは印刷された出力条件Ｐを確認しながら出力条件Ｐを設定してジョブＪを再び生成することができ、容易に、かつ間違いなくジョブＪを生成することができる。
【００５８】
＜実施形態２＞
実施形態２を、図９を用いて説明する。図１に点線で示すように、本実施形態のシステム１０は、メモリ３２に復元困難度（設定難易度の別例）Ｈが記憶されている点で実施形態１のシステム１０と異なる。本実施形態では、複合機１４のメモリ３２にＦＡＸ送信処理、ＦＡＸ受信処理等、各種出力処理のジョブＪが記憶されている場合の例を用いて説明を行う。以下の説明では、実施形態１と同一の内容については重複した記載を省略する。
【００５９】
図９に示すように、復元困難度Ｈは、種類情報Ｑに基づいて設定されており、つまり、種類情報Ｑを含む設定情報Ｘから設定されているということができる。復元困難度Ｈは、ＦＡＸ受信に対する復元困難度Ｈが最も小さく（高く）、その後、ＦＡＸ送信、スキャン、印刷の順で大きく（低く）なるように設定されている。一般に、ＦＡＸ受信に対する出力条件Ｐの設定は、ＦＡＸ送信する相手側の装置で設定され、複合機１４自体で行うことができない。そのため、他の種類情報ＱのジョブＪにおける操作設定に比べて再び設定することが難しい。つまり、復元困難度Ｈは、設定情報Ｘの出力条件Ｐを再び設定する際の設定操作の難易度に基づいて設定されている。復元困難度Ｈは、出力条件Ｐを再び設定する際の設定操作の難易度が高いジョブＪが、出力条件Ｐを再び設定する際の設定操作の難易度が低いジョブＪよりも高くなるように設定されている。
【００６０】
１．優先順位設定処理
図９に示すように、複合機１４のＣＰＵ３０は、優先順位Ｙを設定する際に、比較対象とするジョブＪの操作難易度Ｍ及び復元困難度Ｈから優先順位Ｙを読み出す（図７のＳ１６）。ＣＰＵ３０は、まず、ジョブＪの復元困難度Ｈを比較し、復元困難度Ｈが低いほど優先順位Ｙを高く設定し、復元困難度Ｈが高いほど優先順位Ｙを低く設定する。つまり、出力条件Ｐを再び設定する際のユーザの設定操作の難易度が低いジョブＪほど優先順位Ｙを高く設定し、メモリ３２から早く削除されるようにする。次に、出力条件Ｐを再び設定する際のユーザの設定操作の難易度が高いジョブＪほど優先順位Ｙを低く設定し、メモリ３２から遅く削除されるようにする。これにより、種類情報ＱがＦＡＸ受信であるジョブＪ等、出力条件Ｐを再び設定する際のユーザの設定操作の難易度が高いジョブＪがメモリ３２から削除されてしまい、ユーザが当該ジョブＪを再び生成する事態の発生が抑制される。
【００６１】
次にＣＰＵ３０は、復元困難度Ｈが等しく設定されたジョブＪの操作難易度Ｍを比較する。操作難易度Ｍを比較する方法は実施形態１と同様であり、重複した説明を省略する。尚、種類情報ＱがＦＡＸ受信であるジョブＪは、ＰＣ１２により操作難易度Ｍが設定されないため、操作難易度Ｍを比較することができない。ＣＰＵ３０は、種類情報ＱがＦＡＸ受信であるジョブＪについて、メモリ３２にジョブＪが記憶された順に優先順位Ｙを設定する。
【００６２】
２．本実施形態の効果
（１）本実施形態のシステム１０では、種類情報Ｑに基づいて復元困難度Ｈが設定されている。ＦＡＸ受信に係るジョブＪは、他の種類情報Ｑに係るジョブＪよりも高い復元困難度Ｈが設定され、この復元困難度Ｈに基づいて優先順位Ｙが設定されている。これによって、ＦＡＸ受信に係るジョブＪを再び生成する事態の発生が抑制される。
【００６３】
（２）特に、種類情報ＱがＦＡＸ受信であるジョブＪは、ＰＣ１２により操作難易度Ｍが設定されず、操作難易度Ｍを用いて優先順位Ｙを設定することができない。そのため、種類情報ＱがＦＡＸ受信であるジョブＪは、他の種類情報ＱのジョブＪと異なる期限管理が必要であった。本実施形態のシステム１０では、複合機１４で復元困難度Ｈが設定されることから、種類情報ＱがＦＡＸ受信であるジョブＪに対しても復元困難度Ｈを設定することができ、他の種類情報ＱのジョブＪと一体的に期限を管理することができる。
【００６４】
＜実施形態３＞
実施形態３を、図１０および図１１を用いて説明する。図１に点線で示すように、本実施形態のシステム１０は、メモリ３２に蓄積期限（削除期限の一例）Ｔが記憶されている点で実施形態１のシステム１０と異なる。蓄積期限Ｔとは、ジョブＪがメモリ３２から削除される最終期限を意味している。そのため、ジョブＪは蓄積期限Ｔ経過前にメモリ３２から削除されることがあっても、蓄積期限Ｔを超えてメモリ３２に記憶されることはない。本実施形態では、複合機１４のメモリ３２に印刷処理のジョブＪのみが記憶されている場合の例を用いて説明を行う。以下の説明では、実施形態１及び実施形態２と同一の内容については重複した記載を省略する。
【００６５】
１．蓄積期限設定処理
図１０に示すように、蓄積期限Ｔを設定する際、ＣＰＵ３０は、当該ジョブＪに含まれる操作難易度Ｍから蓄積期限Ｔを設定する。ＣＰＵ３０は、第１規定数Ｋ１を有しており、操作難易度Ｍに第１規定数Ｋ１を乗じた値に基本蓄積期限Ｔ０を加えたものを蓄積期限Ｔとして設定する。そのため、操作難易度Ｍが低いジョブＪほど蓄積期限Ｔが短く設定され、操作難易度Ｍが高いジョブＪほど蓄積期限Ｔが長く設定される。つまり、ユーザの設定操作の難易度が低いジョブＪほど蓄積期限Ｔが短く設定され、ユーザの設定操作の難易度が高いジョブＪほど蓄積期限Ｔが長く設定される。
【００６６】
図１１に示すように、ＣＰＵ３０は、新しいジョブＪをメモリ３２に記憶した場合に、メモリ３２の空き容量と閾値Ｋを比較し（Ｓ２０）、メモリ３２の空き容量が閾値Ｋ以下の場合（Ｓ２０：ＮＯ）、メモリ３２に記憶されているジョブＪの蓄積期間Ｔ１を算出（Ｓ４２）する。ＣＰＵ３０は、新しいジョブＪがメモリ３２に記憶されてから各ジョブＪの蓄積期限Ｔまでの期間を当該ジョブＪの蓄積期間Ｔ１として算出する。
【００６７】
ＣＰＵ３０は、メモリ３２に記憶されているジョブＪの蓄積期間Ｔ１を比較し、蓄積期間Ｔ１が一番短いジョブＪを読み出す（Ｓ４４）。ＣＰＵ３０は、通知部４４として機能し、読み出したジョブＪの設定情報Ｘを印刷部５０を用いて印刷する（Ｓ２４）。また、ＣＰＵ３０は、削除部４０として機能し、読み出したジョブＪをメモリ３２から削除する（Ｓ２６）。ＣＰＵ３０は、メモリ３２の空き容量が閾値Ｋよりも多くなるまで、Ｓ４２、Ｓ４４、Ｓ２４、Ｓ２６の処理を繰り返す。
【００６８】
ＣＰＵ３０はさらに、ユーザからジョブＪを指定した出力指示が入力された場合に、メモリ３２に含まれるジョブＪを用いて印刷を実行するとともに、印刷が実行されたジョブＪをメモリ３２から削除する処理を実行する。また、ＣＰＵ３０は、ユーザからジョブＪの削除指示が入力された場合、あるいはメモリ３２に期限切れのジョブＪが発生した場合に、指定されたジョブＪをメモリ３２から削除する処理を実行する。
【００６９】
２．本実施形態の効果
（１）本実施形態のシステム１０では、操作難易度Ｍに基づいて蓄積期限Ｔが設定される。この際、操作難易度Ｍの低いジョブＪの蓄積期限Ｔが短く設定され、操作難易度Ｍの高いジョブＪの蓄積期限Ｔが長く設定される。これによって、操作難易度Ｍの低いジョブＪを比較的早期にメモリ３２から削除することができ、操作難易度Ｍの高いジョブＪを比較的長期にメモリ３２に記憶しておくことができる。この結果、操作難易度Ｍが高く、ユーザによる設定操作の難しい設定情報Ｘを含むジョブＪを再び生成する事態の発生が抑制され、簡易な操作でジョブを生成することができる。
【００７０】
＜実施形態４＞
実施形態４を、図１２ないし図１３を用いて説明する。図１に点線で示すように、本実施形態のシステム１０は、メモリ３２に復元困難度Ｈ及び保存期間（設定難易度の別例）Ｆが記憶されている点で実施形態１のシステム１０と異なる。保存期間Ｆとは、メモリ３２がジョブＪを記憶しておくことを保証する期間を意味している。そのため、ジョブＪは保存期間Ｆを超えてメモリ３２に記憶されていることがあっても、保存期間Ｆ経過前にメモリ３２から削除されることはない。本実施形態では、複合機１４のメモリ３２にＦＡＸ送信処理、ＦＡＸ受信処理等、各種出力処理のジョブＪが記憶されている場合の例を用いて説明を行う。以下の説明では、実施形態１ないし実施形態３と同一の内容については重複した記載を省略する。
【００７１】
１．保存期間設定処理
図１２に示すように、保存期間Ｆを設定する際、ＣＰＵ３０は、比較対象とするジョブＪの操作難易度Ｍ及び復元困難度Ｈを読み出す（図７のＳ１６）。ＣＰＵ３０は、まず、復元困難度Ｈに対応した対応保存期間Ｆ１を算出する。ＣＰＵ３０は、復元困難度Ｈに対応した第２規定数Ｋ２及び基準保存期間Ｆ０を備えており、第２規定数Ｋ２に基準保存期間Ｆ０を乗して対応保存期間Ｆ１を算出する。また、ＣＰＵ３０は、第３規定数Ｋ３を有しており、操作難易度Ｍに第３規定数Ｋ３を乗じた値に対応保存期間Ｆ１を加えたものを保存期間Ｆとして設定する。そのため、操作難易度Ｍ及び復元困難度Ｈが低いジョブＪほど保存期間Ｆが短く設定され、操作難易度Ｍ及び復元困難度Ｈが高いジョブＪほど保存期間Ｆが長く設定される。つまり、ユーザの設定操作の難易度が低いジョブＪほど保存期間Ｆが短く設定され、ユーザの設定操作の難易度が高いジョブＪほど保存期間Ｆが長く設定される。
【００７２】
図１２に示すように、ＣＰＵ３０は、新しいジョブＪをメモリ３２に記憶した場合に、メモリ３２の空き容量と閾値Ｋを比較し（Ｓ２０）、メモリ３２の空き容量が閾値Ｋよりも少ない場合（Ｓ２０：ＮＯ）、保存期間Ｆが切れているジョブＪがメモリ３２に記憶されているかを確認する（Ｓ５２）。
【００７３】
ＣＰＵ３０は、メモリ３２に保存期間Ｆが切れているジョブＪが記憶されている場合（Ｓ５２：ＹＥＳ）、保存期間Ｆが切れているジョブＪのうち、操作難易度Ｍが最も高いジョブＪを読み出す（Ｓ５４）。ＣＰＵ３０は、通知部４４として機能し、読み出したジョブＪの設定情報Ｘを印刷部５０を用いて印刷する（Ｓ２４）。また、ＣＰＵ３０は、削除部４０として機能し、読み出したジョブＪをメモリ３２から削除する（Ｓ２６）。ＣＰＵ３０は、メモリ３２の空き容量が閾値Ｋよりも多くなるか、あるいはメモリ３２から保存期間Ｆが切れているジョブＪがなくなるまで、Ｓ５２、Ｓ５４、Ｓ２４、Ｓ２６の処理を繰り返す。
【００７４】
一方、ＣＰＵ３０は、メモリ３２に保存期間Ｆが切れているジョブＪが記憶されていない場合（Ｓ５２：ＹＥＳ）、最も新しくメモリ３２に記憶されたジョブＪを読み出す（Ｓ５６）。ＣＰＵ３０は、通知部４４として機能し、読み出したジョブＪの設定情報Ｘを印刷部５０を用いて印刷する（Ｓ５８）。また、ＣＰＵ３０は、削除部４０として機能し、読み出したジョブＪをメモリ３２から削除する（Ｓ６０）。
【００７５】
ＣＰＵ３０はさらに、ユーザからジョブＪを指定した出力指示が入力された場合に、メモリ３２に含まれるジョブＪを用いて印刷を実行するとともに、印刷が実行されたジョブＪをメモリ３２から削除する処理を実行する。また、ＣＰＵ３０は、ユーザからジョブＪの削除指示が入力された場合に、指定されたジョブＪをメモリ３２から削除する処理を実行する。
【００７６】
２．本実施形態の効果
（１）本実施形態のシステム１０では、操作難易度Ｍ及び復元困難度Ｈに基づいて保存期間Ｆが設定される。この際、操作難易度Ｍ及び復元困難度Ｈの低いジョブＪの保存期間Ｆが短く設定され、操作難易度Ｍ及び復元困難度Ｈの高いジョブＪの保存期間Ｆが長く設定される。これによって、操作難易度Ｍ及び復元困難度Ｈの低いジョブＪを比較的早期にメモリ３２から削除することができ、操作難易度Ｍ及び復元困難度Ｈの高いジョブＪを比較的長期にメモリ３２に記憶しておくことができる。この結果、操作難易度Ｍ及び復元困難度Ｈが高く、ユーザによる設定操作の難しい設定情報Ｘを含むジョブＪを再び生成する事態の発生が抑制され、簡易な操作でジョブを生成することができる。
【００７７】
＜他の実施形態＞
本発明は上記記述及び図面によって説明した実施形態に限定されるものではなく、例えば次のような実施形態も本発明の技術的範囲に含まれる。
（１）上記実施形態では、出力条件Ｐに難易レベルＬｄが設定されている例を用いて説明を行ったが、難易レベルＬｄは必ずしも設定されている必要はない。これは、上記実施形態において、難易レベルＬｄがすべて同一の値に設定されている場合に等しく、操作難易度Ｍの大小関係はジョブＪに含まれる出力条件Ｐのうち、規定出力条件Ｐ０と異なる内容に設定された出力条件Ｐの変更数Ｎによって決定される。
【００７８】
この場合、規定出力条件Ｐ０と異なる出力条件Ｐを多く含むジョブＪに対して、操作難易度Ｍを高く設定することができる。これによって、出力条件Ｐを設定する際に、規定出力条件Ｐ０からの多くの変更操作を必要とするジョブＪを再び生成する事態の発生が抑制され、簡易な操作でジョブを生成することができる。
【００７９】
（２）上記実施形態では、ＰＣ１２のメモリ２２に規定出力条件Ｐ０が記憶されており、ＰＣ１２のＣＰＵ２０で操作難易度Ｍを設定する例を用いて説明を行ったが、複合機１４のメモリ３２に規定出力条件Ｐ０が記憶されており、複合機１４のＣＰＵ３０で操作難易度Ｍを設定してもよい。
【００８０】
（３）また逆に、複合機１４がＰＣ１２の指示により、メモリ３２にジョブＪを記憶したり、メモリ３２からジョブＪを削除するように構成されていても良い。
【００８１】
（４）上記実施形態では、蓄積期限Ｔを操作難易度Ｍのみを用いて設定し、保存期間Ｆを操作難易度Ｍ及び復元困難度Ｈを用いて算出する例を用いて説明を行ったが、蓄積期限Ｔを操作難易度Ｍ及び復元困難度Ｈを用いて算出してもよければ、保存期間Ｆを操作難易度Ｍのみを用いて算出してもよい。
【００８２】
（５）上記実施形態では、優先順位Ｙ、蓄積期限Ｔ、保存期間Ｆの１つが設定される例を用いて説明をおこなったが、これらの複数が同時に設定されてもよい。
【００８３】
（６）上記実施形態では、ジョブＪに含まれる設定情報Ｘから操作難易度Ｍを設定する例を用いて説明をおこなったが、これに限られない。例えば、操作難易度Ｍがユーザによって入力可能に設定されていてもよい。
【００８４】
（７）上記実施形態では、新たなジョブＪがメモリ３２に記憶された場合に操作難易度Ｍを設定する例を用いて説明をおこなったが、これに限られない。例えば、一定期間毎に操作難易度Ｍを設定してもよければ、出力指示等、ユーザから操作指示が入力される度に操作難易度Ｍを設定してもよい。
【符号の説明】
【００８５】
１０：システム、１２：ＰＣ、１４：複合機、２０：ＣＰＵ、２２：メモリ、２８：設定部、３０：ＣＰＵ、３２：メモリ、３８：出力部、４０：削除部、４２：設定部、４４：通知部、４６：送信部、４８：読取部、５０：印刷部、Ｊ：ジョブ、Ｄ：画像データ、Ｘ：設定情報、Ｐ：出力条件、Ｑ：種類情報、Ｐ０：規定出力条件、Ｌｄ：難易レベル、Ｍ：操作難易度、Ｈ：復元困難度、Ｙ：優先順位、Ｔ：蓄積期間、Ｆ：保存期間
【図１】
0005589831.tif 000002
【図２】
0005589831.tif 000003
【図３】
0005589831.tif 000004
【図４】
0005589831.tif 000005
【図５】
0005589831.tif 000006
【図６】
0005589831.tif 000007
【図７】
0005589831.tif 000008
【図８】
0005589831.tif 000009
【図９】
0005589831.tif 000010
【図１０】
0005589831.tif 000011
【図１１】
0005589831.tif 000012
【図１２】
0005589831.tif 000013
【図１３】
0005589831.tif 000014